(57)【要約】【課題】  吹き掛け式および吹き込み式の両方に対応することができるだけでなく、吹き掛け式装置および吹き込み式装置を単純に組み合わせた構成より小型化することができる呼気中アルコール測定装置を提供する。【解決手段】  呼気中アルコール測定装置の制御部は、マウスピースを介さずにケースの吹き掛け口に吹き掛けられた呼気に対してアルコール測定を実行する吹き掛けモード（Ｓ５８〜Ｓ６１）と、ケースの挿し込み空間に挿し込まれたマウスピースを介してケース内に吹き込まれた呼気に対してアルコール測定を実行する吹き込みモード（Ｓ６３〜Ｓ６５）とを動作モードとして備えており、吹き掛けモードと、吹き込みモードとでアルコール測定の結果の出力内容を異ならせる（Ｓ６１、Ｓ６５）。【選択図】  図６
2013156169.tif 000002
【特許請求の範囲】
【請求項１】
呼気に含まれるアルコールの濃度を検出するアルコールセンサーと、前記アルコールセンサーを収納するケースと、呼気に含まれるアルコールの濃度の測定であるアルコール測定を前記アルコールセンサーを用いて実行する制御部とを備えており、
前記ケースは、マウスピースが挿し込まれる空間である挿し込み空間と、吹き掛けられた呼気を内部に通すための穴である吹き掛け口とが形成されており、
前記制御部は、前記マウスピースを介さずに前記吹き掛け口に吹き掛けられた呼気に対して前記アルコール測定を実行する吹き掛けモードと、前記挿し込み空間に挿し込まれた前記マウスピースを介して前記ケース内に吹き込まれた呼気に対して前記アルコール測定を実行する吹き込みモードとを動作モードとして備えており、前記吹き掛けモードと、前記吹き込みモードとで前記アルコール測定の結果の出力内容を異ならせることを特徴とする呼気中アルコール測定装置。
【請求項２】
前記挿し込み空間に前記マウスピースが挿し込まれている状態と、前記挿し込み空間に前記マウスピースが挿し込まれていない状態とで出力が異なる挿し込み検出手段を備えており、
前記制御部は、前記挿し込み検出手段の出力に基づいて前記吹き掛けモードおよび前記吹き込みモードを切り替えることを特徴とする請求項１に記載の呼気中アルコール測定装置。
【請求項３】
前記吹き掛け口に吹き掛けられた呼気を検出する吹き掛け用呼気センサーを前記挿し込み検出手段の少なくとも１つとして備えており、
前記吹き掛け用呼気センサーは、前記挿し込み空間に挿し込まれた前記マウスピースを介して前記ケース内に吹き込まれた呼気の前記マウスピースから前記アルコールセンサーまでの流路上以外の位置であって、前記吹き掛け口に吹き掛けられた呼気の前記吹き掛け口から前記吹き掛け用呼気センサーまでの流路の少なくとも一部に前記挿し込み空間の少なくとも一部が重なる位置に配置されていることを特徴とする請求項２に記載の呼気中アルコール測定装置。
【請求項４】
呼気を検出する呼気センサーを備えており、
前記制御部は、前記呼気センサーの出力に基づいて前記吹き込みモードを実行し、
前記呼気センサーは、前記吹き掛け口に吹き掛けられた呼気を前記吹き掛け用呼気センサーより後に検出する位置に配置されていることを特徴とする請求項３に記載の呼気中アルコール測定装置。
【請求項５】
ＩＣチップを備えている前記マウスピースの前記ＩＣチップ内の情報を読み取るＩＣチップリーダーを前記挿し込み検出手段の少なくとも１つとして備えており、
前記ＩＣチップリーダーは、前記マウスピースが前記挿し込み空間に挿し込まれている場合に前記マウスピースの前記ＩＣチップ内の情報を読み取り可能である位置に配置されており、
前記制御部は、個人を特定するための情報が前記ＩＣチップに含まれている場合に、この情報を含めた前記アルコール測定の結果を出力することを特徴とする請求項２から請求項４までの何れかに記載の呼気中アルコール測定装置。
【請求項６】
前記制御部は、前記吹き掛けモードにおいて前記アルコール測定の結果をアルコールの濃度に基づいた評価で出力し、前記吹き込みモードにおいて前記アルコール測定の結果をアルコールの濃度で出力することを特徴とする請求項１から請求項５までの何れかに記載の呼気中アルコール測定装置。
【発明の詳細な説明】
【技術分野】
【０００１】
本発明は、呼気に含まれるアルコールの濃度の測定であるアルコール測定を行うことができる呼気中アルコール測定装置に関する。
【背景技術】
【０００２】
従来、マウスピースを介さずにケースに吹き掛けられた呼気に対してアルコール測定を実行する呼気中アルコール測定装置（以下「吹き掛け式装置」と言う。）が知られている（例えば特許文献１参照。）。また、ケースに挿し込まれたマウスピースを介してケース内に吹き込まれた呼気に対してアルコール測定を実行する呼気中アルコール測定装置（以下「吹き込み式装置」と言う。）も知られている（例えば特許文献２、３参照。）。
【０００３】
吹き掛け式装置は、終末呼気に含まれるアルコールの濃度を測定しないので、吹き込み式装置と比較して、利用者が息を数秒間吐き続ける必要がなく利用者の負担が小さいという長所と、アルコール測定の精度が低いという短所とを備えている。したがって、吹き掛け式装置は、例えばスクリーニングなど、アルコール測定の精度が低くても利用者の負担が小さいことが求められる状況での使用に適している。
【０００４】
一方、吹き込み式装置は、終末呼気に含まれるアルコールの濃度を測定するので、吹き掛け式装置と比較して、アルコール測定の精度が高いという長所と、利用者が息を数秒間吐き続ける必要があり利用者の負担が大きいという短所とを備えている。したがって、吹き込み式装置は、利用者の負担が大きくてもアルコール測定の精度が高いことが求められる状況での使用に適している。
【先行技術文献】
【特許文献】
【０００５】
【特許文献１】特開２００９−２５７７６８号公報
【特許文献２】特許第４４７７６７９号公報
【特許文献３】特許第４６４９５３９号公報
【発明の概要】
【発明が解決しようとする課題】
【０００６】
従来の呼気中アルコール測定装置は、吹き掛け式装置および吹き込み式装置の何れか一方である。したがって、利用者は、負担が大きくても精度が高いアルコール測定が求められる状況と、精度が低くても負担が小さいアルコール測定が求められる状況との両方が生じ得る場合、吹き掛け式装置および吹き込み式装置の両方を購入する必要があり、呼気中アルコール測定装置の保管場所に困る場合がある。
【０００７】
そこで、本発明は、吹き掛け式および吹き込み式の両方に対応することができるだけでなく、吹き掛け式装置および吹き込み式装置を単純に組み合わせた構成より小型化することができる呼気中アルコール測定装置を提供することを目的とする。
【課題を解決するための手段】
【０００８】
本発明の呼気中アルコール測定装置は、呼気に含まれるアルコールの濃度を検出するアルコールセンサーと、前記アルコールセンサーを収納するケースと、呼気に含まれるアルコールの濃度の測定であるアルコール測定を前記アルコールセンサーを用いて実行する制御部とを備えており、前記ケースは、マウスピースが挿し込まれる空間である挿し込み空間と、吹き掛けられた呼気を内部に通すための穴である吹き掛け口とが形成されており、前記制御部は、前記マウスピースを介さずに前記吹き掛け口に吹き掛けられた呼気に対して前記アルコール測定を実行する吹き掛けモードと、前記挿し込み空間に挿し込まれた前記マウスピースを介して前記ケース内に吹き込まれた呼気に対して前記アルコール測定を実行する吹き込みモードとを動作モードとして備えており、前記吹き掛けモードと、前記吹き込みモードとで前記アルコール測定の結果の出力内容を異ならせることを特徴とする。
【０００９】
この構成により、本発明の呼気中アルコール測定装置は、吹き掛けモードと、吹き込みモードとで動作することができるので、吹き掛け式および吹き込み式の両方に対応することができる。また、本発明の呼気中アルコール測定装置は、吹き掛けモードと、吹き込みモードとで共通のアルコールセンサーが使用されるので、吹き掛け式装置および吹き込み式装置を単純に組み合わせた構成より小型化することができる。また、本発明の呼気中アルコール測定装置は、アルコール測定の結果を吹き掛けモードおよび吹き込みモードのそれぞれに適した内容で出力することができる。
【００１０】
また、本発明の呼気中アルコール測定装置は、前記挿し込み空間に前記マウスピースが挿し込まれている状態と、前記挿し込み空間に前記マウスピースが挿し込まれていない状態とで出力が異なる挿し込み検出手段を備えており、前記制御部は、前記挿し込み検出手段の出力に基づいて前記吹き掛けモードおよび前記吹き込みモードを切り替えても良い。
【００１１】
この構成により、本発明の呼気中アルコール測定装置は、ケースにマウスピースが挿し込まれているか否かによって吹き掛けモードおよび吹き込みモードを自動的に切り替えるので、利用者の操作を容易化することができる。
【００１２】
また、本発明の呼気中アルコール測定装置は、前記吹き掛け口に吹き掛けられた呼気を検出する吹き掛け用呼気センサーを前記挿し込み検出手段の少なくとも１つとして備えており、前記吹き掛け用呼気センサーは、前記挿し込み空間に挿し込まれた前記マウスピースを介して前記ケース内に吹き込まれた呼気の前記マウスピースから前記アルコールセンサーまでの流路上以外の位置であって、前記吹き掛け口に吹き掛けられた呼気の前記吹き掛け口から前記吹き掛け用呼気センサーまでの流路の少なくとも一部に前記挿し込み空間の少なくとも一部が重なる位置に配置されていても良い。
【００１３】
この構成により、本発明の呼気中アルコール測定装置は、吹き掛け用呼気センサーが呼気を検出した場合にケースにマウスピースが挿し込まれていない状態であるので、ケースにマウスピースが挿し込まれている状態と、ケースにマウスピースが挿し込まれていない状態とを簡単な構成で検出することができる。
【００１４】
また、本発明の呼気中アルコール測定装置は、呼気を検出する呼気センサーを備えており、前記制御部は、前記呼気センサーの出力に基づいて前記吹き込みモードを実行し、前記呼気センサーは、前記吹き掛け口に吹き掛けられた呼気を前記吹き掛け用呼気センサーより後に検出する位置に配置されていても良い。
【００１５】
この構成により、本発明の呼気中アルコール測定装置は、吹き掛け口に吹き掛けられた呼気を吹き掛け用呼気センサーが呼気センサーより先に検出するので、吹き掛け口に呼気が吹き掛けられた場合に呼気センサーの出力に基づいて誤って吹き込みモードを実行することを防止することができる。
【００１６】
また、本発明の呼気中アルコール測定装置は、ＩＣチップを備えている前記マウスピースの前記ＩＣチップ内の情報を読み取るＩＣチップリーダーを前記挿し込み検出手段の少なくとも１つとして備えており、前記ＩＣチップリーダーは、前記マウスピースが前記挿し込み空間に挿し込まれている場合に前記マウスピースの前記ＩＣチップ内の情報を読み取り可能である位置に配置されており、前記制御部は、個人を特定するための情報が前記ＩＣチップに含まれている場合に、この情報を含めた前記アルコール測定の結果を出力しても良い。
【００１７】
この構成により、本発明の呼気中アルコール測定装置は、ケースにマウスピースが挿し込まれていることをマウスピースのＩＣチップによって検出することができるだけでなく、アルコール測定の結果に含める個人を特定するための情報をマウスピースのＩＣチップによって取得することもできる。
【００１８】
また、本発明の呼気中アルコール測定装置の前記制御部は、前記吹き掛けモードにおいて前記アルコール測定の結果をアルコールの濃度に基づいた評価で出力し、前記吹き込みモードにおいて前記アルコール測定の結果をアルコールの濃度で出力しても良い。
【００１９】
この構成により、本発明の呼気中アルコール測定装置は、アルコール測定の精度に応じた適切な出力を行うことができる。
【発明の効果】
【００２０】
本発明の呼気中アルコール測定装置は、吹き掛け式および吹き込み式の両方に対応することができるだけでなく、吹き掛け式装置および吹き込み式装置を単純に組み合わせた構成より小型化することができる。
【図面の簡単な説明】
【００２１】
【図１】本発明の第１の実施の形態に係る呼気中アルコール測定装置の外観斜視図である。
【図２】図１に示す呼気中アルコール測定装置のブロック図である。
【図３】図１に示す呼気中アルコール測定装置の内部構造の模式図である。
【図４】利用者がケースの吹き掛け口に呼気を吹き掛けている場合の図１に示す呼気中アルコール測定装置の状態を示す模式図である。
【図５】利用者がマウスピースを介して呼気を吹き込んでいる場合の図１に示す呼気中アルコール測定装置の状態を示す模式図である。
【図６】図１に示す呼気中アルコール測定装置の動作のフローチャートである。
【図７】本発明の第２の実施の形態に係る呼気中アルコール測定装置のブロック図である。
【図８】図７に示す呼気中アルコール測定装置の内部構造の模式図である。
【図９】マウスピースが挿し込まれている状態での図７に示す呼気中アルコール測定装置の内部構造の模式図である。
【図１０】図７に示す呼気中アルコール測定装置の動作のフローチャートである。
【図１１】本発明の第３の実施の形態に係る呼気中アルコール測定装置のブロック図である。
【図１２】図１１に示す呼気中アルコール測定装置の内部構造の模式図である。
【図１３】マウスピースが挿し込まれている状態での図１１に示す呼気中アルコール測定装置の内部構造の模式図である。
【図１４】図１１に示す呼気中アルコール測定装置の動作のフローチャートである。
【図１５】本発明の第４の実施の形態に係る呼気中アルコール測定装置のブロック図である。
【図１６】図１５に示す呼気中アルコール測定装置の内部構造の模式図である。
【図１７】マウスピースが挿し込まれている状態での図１５に示す呼気中アルコール測定装置の内部構造の模式図である。
【図１８】図１５に示す呼気中アルコール測定装置の動作のフローチャートである。
【図１９】本発明の第５の実施の形態に係る呼気中アルコール測定装置のブロック図である。
【図２０】図１９に示す呼気中アルコール測定装置の動作のフローチャートである。
【発明を実施するための形態】
【００２２】
以下、本発明の実施の形態について、図面を用いて説明する。
【００２３】
（第１の実施の形態）
まず、本実施の形態に係る呼気中アルコール測定装置の構成について説明する。
【００２４】
図１は、本実施の形態に係る呼気中アルコール測定装置１０の外観斜視図である。図２は、呼気中アルコール測定装置１０のブロック図である。図３は、呼気中アルコール測定装置１０の内部構造の模式図である。
【００２５】
図１〜図３に示すように、呼気中アルコール測定装置１０は、呼気に含まれるアルコールの濃度を検出するアルコールセンサー１１と、アルコールセンサー１１の出力を増幅するアンプ部１２と、アルコールセンサー１１に呼気を吸引するための吸引ポンプ１３と、温度によって呼気を検出する本発明の吹き掛け用呼気センサーとしての呼気温度センサー１４と、呼気の圧力を検出する本発明の呼気センサーとしての呼気圧力センサー１５と、利用者によって押されるためのスイッチ１６と、種々の情報を表示するＬＣＤ（Ｌｉｑｕｉｄ  Ｃｒｙｓｔａｌ  Ｄｉｓｐｌａｙ）などの表示部１７と、種々の情報を音声によって出力するスピーカー１８と、種々の情報を表示するＬＥＤ（Ｌｉｇｈｔ  Ｅｍｉｔｔｉｎｇ  Ｄｉｏｄｅ）１９と、ＰＣ（Ｐｅｒｓｏｎａｌ  Ｃｏｍｐｕｔｅｒ）などの外部の情報処理装置と通信を行うための外部インターフェイス２０と、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリー２１と、呼気中アルコール測定装置１０全体を制御する制御部２２と、アルコールセンサー１１、アンプ部１２、吸引ポンプ１３、呼気温度センサー１４、呼気圧力センサー１５、スイッチ１６、表示部１７、スピーカー１８、ＬＥＤ１９、外部インターフェイス２０、不揮発性メモリー２１、制御部２２などの各種部品を収納するケース３０とを備えている。ケース３０には、利用者によって直接咥えられる管状のマウスピース４０が挿し込まれることが可能である。
【００２６】
吸引ポンプ１３は、ソレノイドアクチュエーター１３ａと、ソレノイドアクチュエーター１３ａのプランジャーによって容積が変更されるベローズ１３ｂとを備えている。吸引ポンプ１３は、ベローズ１３ｂの容積の増加によってアルコールセンサー１１側からベローズ１３ｂに一定量の気体を吸引することによって、後述の連通路３３側からアルコールセンサー１１に一定量の気体を導入するものである。
【００２７】
呼気温度センサー１４は、ヒーター付のサーミスターである。呼気温度センサー１４は、ヒーターによって加熱されたサーミスターに呼気が当たってサーミスターの温度が下がったことをサーミスターで検出することによって、呼気を検出することができる。
【００２８】
呼気温度センサー１４は、後述の吹き掛け口３４に対向する位置に配置されている。この位置は、後述の挿し込み空間３３ａに挿し込まれたマウスピース４０を介してケース３０内に吹き込まれた呼気のマウスピース４０からアルコールセンサー１１までの流路上以外の位置であって、吹き掛け口３４に吹き掛けられた呼気の吹き掛け口３４から呼気温度センサー１４までの流路の一部に挿し込み空間３３ａの一部が重なる位置である。
【００２９】
呼気温度センサー１４は、挿し込み空間３３ａにマウスピース４０が挿し込まれている状態でマウスピース４０を介して呼気がケース３０内に吹き込まれた場合と、挿し込み空間３３ａにマウスピース４０が挿し込まれていない状態で呼気が吹き掛け口３４に吹き掛けられた場合とで出力が異なるようになっており、本発明の挿し込み検出手段を構成している。
【００３０】
呼気圧力センサー１５は、吹き掛け口３４に吹き掛けられた呼気を呼気温度センサー１４より後に検出する位置に配置されている。
【００３１】
外部インターフェイス２０は、有線による通信を行うためのものであっても良いし、Ｂｌｕｅｔｏｏｔｈ（登録商標）、赤外線通信など、無線による通信を行うためのものであっても良い。
【００３２】
制御部２２は、例えば、ＣＰＵ（Ｃｅｎｔｒａｌ  Ｐｒｏｃｅｓｓｉｎｇ  Ｕｎｉｔ）と、ＣＰＵが実行するプログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。制御部２２は、呼気に含まれるアルコールの濃度の測定であるアルコール測定をアルコールセンサー１１を用いて実行する。
【００３３】
ケース３０は、マウスピース４０が挿し込まれる挿し込み口３１と、ケース３０の内部からケース３０の外部への呼気の出口３２と、挿し込み口３１および出口３２を連通する路である連通路３３と、ケース３０の外部から吹き掛けられた呼気をケース３０の内部に通すための穴である吹き掛け口３４とが形成されている。また、ケース３０は、挿し込み口３１に挿し込まれたマウスピース４０が突き当たるためのストッパー３５を備えている。連通路３３は、挿し込み口３１と、ストッパー３５との間に、マウスピース４０が挿し込まれる空間である挿し込み空間３３ａが形成されている。出口３２は、マウスピース４０を介さずに吹き掛け口３４に吹き掛けられた呼気のうち、挿し込み口３１から排出されず、アルコールセンサー１１に導入されなかった余剰な呼気を排出するものである。また、出口３２は、挿し込み空間３３ａに挿し込まれたマウスピース４０を介してケース３０内に吹き込まれた呼気のうちアルコールセンサー１１に導入されなかった余剰な呼気を排出するものである。
【００３４】
なお、呼気中アルコール測定装置１０の各部品への電力は、ケース３０に内蔵する図示していない電池から供給されるようになっていても良いし、外部の電源から供給されるようになっていても良い。
【００３５】
図４は、利用者９１がケース３０の吹き掛け口３４に呼気を吹き掛けている場合の呼気中アルコール測定装置１０の状態を示す模式図である。
【００３６】
図４において、白抜きの矢印は、呼気の進行方向を表している。図４に示すように、ケース３０の挿し込み空間３３ａにマウスピース４０が挿し込まれていない状態で、利用者９１によってケース３０の吹き掛け口３４に呼気が吹き掛けられると、吹き掛け口３４を介してケース３０の内部に入った呼気の一部は、吹き掛け口３４に対向する位置に配置されている呼気温度センサー１４に当たる。また、吹き掛け口３４を介してケース３０の内部に入った呼気の一部は、連通路３３を経由して挿し込み口３１または出口３２を介してケース３０の外部に出る。そして、連通路３３を経由して出口３２に進行する呼気の一部は、後述のＳ５８において、アルコールセンサー１１に導入される。
【００３７】
図５は、利用者９１がマウスピース４０を介して呼気を吹き込んでいる場合の呼気中アルコール測定装置１０の状態を示す模式図である。
【００３８】
図５において、白抜きの矢印は、呼気の進行方向を表している。図５に示すように、ケース３０の挿し込み空間３３ａにマウスピース４０が挿し込まれている状態で、利用者９１によってマウスピース４０を介して呼気が吹き込まれると、マウスピース４０を介してケース３０の内部に入った呼気の一部は、連通路３３を経由して出口３２を介してケース３０の外部に出る。そして、連通路３３を経由して出口３２に進行する呼気の一部は、後述のＳ６３において、アルコールセンサー１１に導入される。
【００３９】
次に、呼気中アルコール測定装置１０の動作について説明する。
【００４０】
図６は、呼気中アルコール測定装置１０の動作のフローチャートである。
【００４１】
利用者は、呼気中アルコール測定装置１０によるアルコール測定を実施する場合にスイッチ１６を押す。呼気中アルコール測定装置１０の制御部２２は、スイッチ１６が押されると、図６に示す動作を開始する。
【００４２】
図６に示すように、制御部２２は、アルコールセンサー１１の周囲に存在する図示していないヒーターによってアルコールセンサー１１の温度を所定の温度まで加熱する動作であるウォームアップを開始する（Ｓ５１）。
【００４３】
次いで、制御部２２は、ウォームアップの最中であることを表示部１７に表示する（Ｓ５２）。
【００４４】
次いで、制御部２２は、呼気温度センサー１４のヒーターによって呼気温度センサー１４自体の温度を所定の温度まで加熱する（Ｓ５３）。
【００４５】
次いで、制御部２２は、ウォームアップが終了したと判断するまで、ウォームアップが終了したか否かを判断する（Ｓ５４）。
【００４６】
制御部２２は、ウォームアップが終了したとＳ５４において判断すると、表示部１７への表示によって息の吐き出しを指示する（Ｓ５５）。この指示に応じて、利用者は、ケース３０の吹き掛け口３４への呼気の吹き掛けと、マウスピース４０を介した呼気の吹き込みとの何れかを開始することができる。
【００４７】
次いで、制御部２２は、タイマーをリセットする（Ｓ５６）。すなわち、制御部２２は、タイマーを０秒にセットした後、タイマーによる時間の計測を開始する。
【００４８】
次いで、制御部２２は、呼気温度センサー１４によって呼気を検出したか否かを判断する（Ｓ５７）。
【００４９】
制御部２２は、呼気温度センサー１４によって呼気を検出したとＳ５７において判断すると、マウスピース４０を介さずにケース３０の吹き掛け口３４に吹き掛けられた呼気に対してアルコール測定を実行する吹き掛けモードでの動作（Ｓ５８〜Ｓ６１）を開始する。
【００５０】
まず、制御部２２は、吸引ポンプ１３によってアルコールセンサー１１に一定量の気体を導入する（Ｓ５８）。
【００５１】
次いで、制御部２２は、Ｓ５８においてアルコールセンサー１１に導入された気体に含まれるアルコールの濃度をアルコールセンサー１１によって検出する（Ｓ５９）。
【００５２】
次いで、制御部２２は、Ｓ５９において検出されたアルコールの濃度に基づいた評価を算出する（Ｓ６０）。ここで、制御部２２は、Ｓ５９において検出されたアルコールの濃度が所定の濃度未満である場合にＯＫという評価を算出し、Ｓ５９において検出されたアルコールの濃度が所定の濃度以上である場合にＮＧという評価を算出する。
【００５３】
次いで、制御部２２は、Ｓ６０において算出した評価をアルコール測定の結果として出力する（Ｓ６１）。ここで、評価の出力方法は、種々の方法が採用されることができる。例えば、評価の出力方法は、表示部１７による表示、スピーカー１８による音声出力、ＬＥＤ１９による発光、外部インターフェイス２０を介した外部の情報処理装置への例えば電子メールによる通知、外部インターフェイス２０を介した外部のプリンターによる印刷出力、不揮発性メモリー２１への記録、ケース３０に内蔵された図示していない振動モーターによる振動のうち、少なくとも１種類以上の方法が採用されることができる。
【００５４】
ここで、ＬＥＤ１９による発光は、例えば、ＬＥＤ１９が緑色のＬＥＤおよび赤色のＬＥＤの２個存在する場合に評価がＯＫであるときに緑色のＬＥＤのみが点灯をして評価がＮＧであるときに赤色のＬＥＤのみが点灯をしたり、ＬＥＤ１９が１個のＬＥＤである場合に評価がＯＫであるときに１秒間などの短時間の点滅をして評価がＮＧであるときに２０秒間などの長時間の点滅をしたりなど、評価がＯＫである場合と、評価がＮＧである場合とで異なる発光をするようになっていれば良い。評価がＮＧである場合は、利用者に特に認識させる方が好ましいので、評価がＯＫである場合と比較して強調された発光をする方が好ましい。
【００５５】
また、振動モーターによる振動は、例えば、評価がＯＫである場合に全く振動をせずに評価がＮＧである場合に数秒間の振動をしたり、評価がＯＫである場合に０．５秒間などの短時間の振動をして評価がＮＧである場合に５秒間などの長時間の振動をしたりなど、評価がＯＫである場合と、評価がＮＧである場合とで異なる振動をするようになっていれば良い。評価がＮＧである場合は、利用者に特に認識させる方が好ましいので、評価がＯＫである場合と比較して強調された振動をする方が好ましい。
【００５６】
制御部２２は、呼気温度センサー１４によって呼気を検出しなかったとＳ５７において判断すると、呼気圧力センサー１５の出力値が所定の閾値以上であるか否かを判断する（Ｓ６２）。
【００５７】
制御部２２は、呼気圧力センサー１５の出力値が所定の閾値以上であるとＳ６２において判断すると、ケース３０の挿し込み空間３３ａに挿し込まれたマウスピース４０を介してケース３０内に吹き込まれた呼気に対してアルコール測定を実行する吹き込みモードでの動作（Ｓ６３〜Ｓ６５）を開始する。
【００５８】
まず、制御部２２は、吸引ポンプ１３によってアルコールセンサー１１に一定量の気体を導入する（Ｓ６３）。
【００５９】
次いで、制御部２２は、Ｓ６３においてアルコールセンサー１１に導入された気体に含まれるアルコールの濃度をアルコールセンサー１１によって検出する（Ｓ６４）。
【００６０】
次いで、制御部２２は、Ｓ６４において検出されたアルコールの濃度をアルコール測定の結果として出力する（Ｓ６５）。ここで、アルコールの濃度の出力方法は、種々の方法が採用されることができる。例えば、アルコールの濃度の出力方法は、表示部１７による表示、スピーカー１８による音声出力、外部インターフェイス２０を介した外部の情報処理装置への例えば電子メールによる通知、外部インターフェイス２０を介した外部のプリンターによる印刷出力、不揮発性メモリー２１への記録のうち、少なくとも１種類以上の方法が採用されることができる。
【００６１】
制御部２２は、呼気圧力センサー１５の出力値が所定の閾値未満であるとＳ６２において判断すると、Ｓ５６において計測を開始した時間が所定の時間以上になったか否かを判断する（Ｓ６６）。
【００６２】
制御部２２は、所定の時間以上になったとＳ６６において判断すると、表示部１７の表示をＯＦＦ状態にする（Ｓ６７）。
【００６３】
制御部２２は、所定の時間以上になっていないとＳ６６において判断すると、再びＳ５７の処理を実行する。
【００６４】
制御部２２は、Ｓ６１、Ｓ６５またはＳ６７の処理が終了すると、図６に示す動作を終了する。
【００６５】
以上に説明したように、呼気中アルコール測定装置１０は、吹き掛けモード（Ｓ５８〜Ｓ６１）と、吹き込みモード（Ｓ６３〜Ｓ６５）とで動作することができるので、吹き掛け式および吹き込み式の両方に対応することができる。
【００６６】
また、呼気中アルコール測定装置１０は、吹き掛けモードと、吹き込みモードとで共通のアルコールセンサー１１が使用されるので、吹き掛け式装置および吹き込み式装置を単純に組み合わせた構成より小型化することができる。
【００６７】
また、呼気中アルコール測定装置１０は、吹き掛けモードにおいてアルコール測定の結果としてアルコールの濃度の評価を出力していて（Ｓ６１）、吹き込みモードにおいてアルコール測定の結果としてアルコールの濃度を出力している（Ｓ６５）。すなわち、呼気中アルコール測定装置１０は、吹き掛けモードと、吹き込みモードとでアルコール測定の結果の出力内容を異ならせている。したがって、呼気中アルコール測定装置１０は、アルコール測定の結果を吹き掛けモードおよび吹き込みモードのそれぞれに適した内容で出力することができる。
【００６８】
なお、呼気中アルコール測定装置１０は、吹き掛けモードにおいてアルコール測定の結果としてアルコールの濃度の評価を出力していて（Ｓ６１）、吹き込みモードにおいてアルコール測定の結果としてアルコールの濃度を出力している（Ｓ６５）ので、アルコール測定の精度に応じた適切な出力を行うことができるが、吹き掛けモードと、吹き込みモードとでアルコール測定の結果の出力内容を異ならせていれば、これ以外の出力内容であっても良い。例えば、呼気中アルコール測定装置１０は、吹き掛けモードにおいてアルコール測定の結果としてアルコールの濃度と、吹き込みモードより精度が低い吹き掛けモードでの結果であることを示すメッセージとを出力し、吹き込みモードにおいてアルコール測定の結果としてアルコールの濃度のみを出力するようになっていても良い。
【００６９】
また、呼気中アルコール測定装置１０は、挿し込み空間３３ａにマウスピース４０が挿し込まれている状態と、挿し込み空間３３ａにマウスピース４０が挿し込まれていない状態とで利用者が呼気をケース３０の内部に入れた場合の呼気温度センサー１４の出力が異なる（Ｓ５７でＹＥＳまたはＮＯ）とともに、呼気温度センサー１４の出力に基づいて吹き掛けモードおよび吹き込みモードを制御部２２が切り替える（Ｓ５７）ので、ケース３０にマウスピース４０が挿し込まれているか否かによって吹き掛けモードおよび吹き込みモードを自動的に切り替えることができる。したがって、呼気中アルコール測定装置１０は、利用者の操作を容易化することができる。例えば、呼気中アルコール測定装置１０は、吹き掛けモードおよび吹き込みモードを利用者の明示的な操作によって切り替えるためのモード切り替えスイッチをケース３０上に備えていて、利用者によるモード切り替えスイッチの明示的な操作によって吹き掛けモードおよび吹き込みモードを切り替える構成である場合、利用者の操作ミスが発生し得る。しかしながら、呼気中アルコール測定装置１０は、ケース３０にマウスピース４０が挿し込まれているか否かによって吹き掛けモードおよび吹き込みモードを自動的に切り替えることができるので、利用者の操作ミスの可能性を低減することができる。
【００７０】
また、呼気中アルコール測定装置１０は、呼気温度センサー１４と、ケース３０の挿し込み空間３３ａと、ケース３０の吹き掛け口３４との配置の関係によって、呼気温度センサー１４が呼気を検出した場合にケース３０にマウスピース４０が挿し込まれていない状態であるので、ケース３０にマウスピース４０が挿し込まれている状態と、ケース３０にマウスピース４０が挿し込まれていない状態とを簡単な構成で検出することができる。
【００７１】
なお、ケース３０は、本実施の形態において、マウスピース４０が挿し込まれる挿し込み口３１と、ケース３０の外部から吹き掛けられた呼気をケース３０の内部に通すための吹き掛け口３４とが別々に設けられているが、挿し込み口および吹き掛け口が共通の穴であっても良い。
【００７２】
また、呼気中アルコール測定装置１０は、吹き掛け口３４に吹き掛けられた呼気を呼気温度センサー１４が呼気圧力センサー１５より先に検出するので、吹き掛け口３４に呼気が吹き掛けられた場合に呼気圧力センサー１５の出力に基づいて誤って吹き込みモードを実行することを防止することができる。このように、呼気中アルコール測定装置１０は、吹き掛けモードおよび吹き込みモードにおいて吹き掛けモードを優先することによって、吹き掛け口３４に吹き掛けられた呼気に対するアルコール測定の結果を、マウスピース４０を介してケース３０内に吹き込まれた呼気に対する精度が高いアルコール測定の結果として誤って出力することを防止することができる。
【００７３】
なお、呼気中アルコール測定装置１０は、吹き掛けモードにおいてアルコール測定の結果をアルコールの濃度に基づいた評価、すなわち、ＯＫおよびＮＧの２段階の評価で出力するが、アルコールの濃度に基づいた３段階以上の評価で出力するようになっていても良い。
【００７４】
また、本発明の吹き掛け用呼気センサーは、本実施の形態において呼気温度センサー１４であるが、吹き掛け口に吹き掛けられた呼気を検出するセンサーであれば、温度によって呼気を検出するセンサーでなくても良い。
【００７５】
（第２の実施の形態）
まず、本実施の形態に係る呼気中アルコール測定装置の構成について説明する。
【００７６】
図７は、本実施の形態に係る呼気中アルコール測定装置１１０のブロック図である。図８は、呼気中アルコール測定装置１１０の内部構造の模式図である。図９は、マウスピース４０が挿し込まれている状態での呼気中アルコール測定装置１１０の内部構造の模式図である。
【００７７】
図７〜図９に示すように、呼気中アルコール測定装置１１０の構成は、以下に述べる構成を除いて、第１の実施の形態に係る呼気中アルコール測定装置１０（図１〜図３参照。）の構成と同様である。
【００７８】
呼気中アルコール測定装置１１０は、ケース３０の挿し込み空間３３ａに挿し込まれたマウスピース４０を検出するためのスイッチである検出スイッチ１１１を備えている。
【００７９】
検出スイッチ１１１は、挿し込み空間３３ａに配置されており、挿し込み空間３３ａに挿し込まれたマウスピース４０に接触して押されてオン状態になるようになっている。また、検出スイッチ１１１は、押されていない場合に、図示していない弾性部材の付勢力によって挿し込み空間３３ａに飛び出た状態、すなわち、オフ状態に維持されるようになっている。検出スイッチ１１１は、オン状態であるか、オフ状態であるかによって制御部２２に出力する信号が異なっている。すなわち、検出スイッチ１１１は、挿し込み空間３３ａにマウスピース４０が挿し込まれている状態と、挿し込み空間３３ａにマウスピースが挿し込まれていない状態とで出力が異なるようになっており、本発明の挿し込み検出手段の１つを構成している。
【００８０】
次に、呼気中アルコール測定装置１１０の動作について説明する。
【００８１】
図１０は、呼気中アルコール測定装置１１０の動作のフローチャートである。
【００８２】
図１０に示すように、呼気中アルコール測定装置１１０の動作は、以下に述べる動作を除いて、第１の実施の形態に係る呼気中アルコール測定装置１０（図１〜図３参照。）の動作（図６参照。）と同様である。
【００８３】
呼気中アルコール測定装置１１０の制御部２２は、呼気温度センサー１４によって呼気を検出しなかったとＳ５７において判断すると、検出スイッチ１１１がオン状態で、呼気圧力センサー１５の出力値が所定の閾値以上であるか否かを判断する（Ｓ１５１）。
【００８４】
制御部２２は、検出スイッチ１１１がオン状態で、呼気圧力センサー１５の出力値が所定の閾値以上であるとＳ１５１において判断すると、Ｓ６３の処理を実行する。
【００８５】
一方、制御部２２は、検出スイッチ１１１がオフ状態であるとＳ１５１において判断するか、呼気圧力センサー１５の出力値が所定の閾値未満であるとＳ１５１において判断すると、Ｓ６６の処理を実行する。
【００８６】
呼気中アルコール測定装置１１０は、第１の実施の形態に係る呼気中アルコール測定装置１０（図１〜図３参照。）が有する効果に加えて、以下の効果を有している。
【００８７】
呼気中アルコール測定装置１１０は、検出スイッチ１１１の出力に基づいて吹き掛けモードおよび吹き込みモードを制御部２２が切り替える（Ｓ１５１）ので、ケース３０にマウスピース４０が挿し込まれているか否かによって吹き掛けモードおよび吹き込みモードを自動的に切り替えることができる。したがって、呼気中アルコール測定装置１１０は、利用者の操作を容易化することができる。例えば、呼気中アルコール測定装置１１０は、吹き掛けモードおよび吹き込みモードを利用者の明示的な操作によって切り替えるためのモード切り替えスイッチをケース３０上に備えていて、利用者によるモード切り替えスイッチの明示的な操作によって吹き掛けモードおよび吹き込みモードを切り替える構成である場合、利用者の操作ミスが発生し得る。しかしながら、呼気中アルコール測定装置１１０は、ケース３０にマウスピース４０が挿し込まれているか否かによって吹き掛けモードおよび吹き込みモードを自動的に切り替えることができるので、利用者の操作ミスの可能性を低減することができる。
【００８８】
なお、呼気中アルコール測定装置１１０は、Ｓ５７の処理を「呼気温度センサー１４によって呼気を検出したか否かを判断する処理」から、「検出スイッチ１１１がオフ状態で、呼気圧力センサー１５の出力値が所定の閾値以上であるか否かを判断する処理」に変更しても良い。すなわち、制御部２２は、検出スイッチ１１１がオフ状態で、呼気圧力センサー１５の出力値が所定の閾値以上であるとＳ５７において判断すると、Ｓ５８を実行するとともに、検出スイッチ１１１がオン状態であるとＳ５７において判断するか、呼気圧力センサー１５の出力値が所定の閾値未満であるとＳ５７において判断すると、Ｓ１５１の処理を実行するようになっていても良い。このようになっている場合、呼気中アルコール測定装置１１０は、呼気温度センサー１４を備えていなくても良い。
【００８９】
（第３の実施の形態）
まず、本実施の形態に係る呼気中アルコール測定装置の構成について説明する。
【００９０】
図１１は、本実施の形態に係る呼気中アルコール測定装置２１０のブロック図である。図１２は、呼気中アルコール測定装置２１０の内部構造の模式図である。図１３は、マウスピース４０が挿し込まれている状態での呼気中アルコール測定装置２１０の内部構造の模式図である。
【００９１】
図１１〜図１３に示すように、呼気中アルコール測定装置２１０の構成は、以下に述べる構成を除いて、第１の実施の形態に係る呼気中アルコール測定装置１０（図１〜図３参照。）の構成と同様である。
【００９２】
呼気中アルコール測定装置２１０は、ケース３０の挿し込み空間３３ａに挿し込まれたマウスピース４０を検出するための光電センサー２１１を備えている。
【００９３】
光電センサー２１１は、光を発する図示していない発光部と、この発光部によって発せられた光を受ける受光部とを備えている。光電センサー２１１の発光部および受光部は、挿し込み空間３３ａを挟む位置に配置されている。したがって、光電センサー２１１は、挿し込み空間３３ａにマウスピース４０が挿し込まれていない場合、発光部によって発せられた光を受光部によって検出することによって、遮蔽を検出しない。一方、光電センサー２１１は、挿し込み空間３３ａにマウスピース４０が挿し込まれている場合、発光部によって発せられた光がマウスピース４０によって遮られて受光部に到達しないので、発光部によって発せられた光を受光部によって検出しないことによって、遮蔽を検出する。すなわち、光電センサー２１１は、挿し込み空間３３ａにマウスピース４０が挿し込まれている状態と、挿し込み空間３３ａにマウスピースが挿し込まれていない状態とで出力が異なるようになっており、本発明の挿し込み検出手段の１つを構成している。
【００９４】
次に、呼気中アルコール測定装置２１０の動作について説明する。
【００９５】
図１４は、呼気中アルコール測定装置２１０の動作のフローチャートである。
【００９６】
図１４に示すように、呼気中アルコール測定装置２１０の動作は、以下に述べる動作を除いて、第１の実施の形態に係る呼気中アルコール測定装置１０（図１〜図３参照。）の動作（図６参照。）と同様である。
【００９７】
呼気中アルコール測定装置２１０の制御部２２は、呼気温度センサー１４によって呼気を検出しなかったとＳ５７において判断すると、光電センサー２１１が遮蔽を検出している状態で、呼気圧力センサー１５の出力値が所定の閾値以上であるか否かを判断する（Ｓ２５１）。
【００９８】
制御部２２は、光電センサー２１１が遮蔽を検出している状態で、呼気圧力センサー１５の出力値が所定の閾値以上であるとＳ２５１において判断すると、Ｓ６３の処理を実行する。
【００９９】
一方、制御部２２は、光電センサー２１１が遮蔽を検出していない状態であるとＳ２５１において判断するか、呼気圧力センサー１５の出力値が所定の閾値未満であるとＳ２５１において判断すると、Ｓ６６の処理を実行する。
【０１００】
呼気中アルコール測定装置２１０は、第１の実施の形態に係る呼気中アルコール測定装置１０（図１〜図３参照。）が有する効果に加えて、以下の効果を有している。
【０１０１】
呼気中アルコール測定装置２１０は、光電センサー２１１の出力に基づいて吹き掛けモードおよび吹き込みモードを制御部２２が切り替える（Ｓ２５１）ので、ケース３０にマウスピース４０が挿し込まれているか否かによって吹き掛けモードおよび吹き込みモードを自動的に切り替えることができる。したがって、呼気中アルコール測定装置２１０は、利用者の操作を容易化することができる。例えば、呼気中アルコール測定装置２１０は、吹き掛けモードおよび吹き込みモードを利用者の明示的な操作によって切り替えるためのモード切り替えスイッチをケース３０上に備えていて、利用者によるモード切り替えスイッチの明示的な操作によって吹き掛けモードおよび吹き込みモードを切り替える構成である場合、利用者の操作ミスが発生し得る。しかしながら、呼気中アルコール測定装置２１０は、ケース３０にマウスピース４０が挿し込まれているか否かによって吹き掛けモードおよび吹き込みモードを自動的に切り替えることができるので、利用者の操作ミスの可能性を低減することができる。
【０１０２】
なお、呼気中アルコール測定装置２１０は、Ｓ５７の処理を「呼気温度センサー１４によって呼気を検出したか否かを判断する処理」から、「光電センサー２１１が遮蔽を検出していない状態で、呼気圧力センサー１５の出力値が所定の閾値以上であるか否かを判断する処理」に変更しても良い。すなわち、制御部２２は、光電センサー２１１が遮蔽を検出していない状態で、呼気圧力センサー１５の出力値が所定の閾値以上であるとＳ５７において判断すると、Ｓ５８を実行し、光電センサー２１１が遮蔽を検出している状態であるとＳ５７において判断するか、呼気圧力センサー１５の出力値が所定の閾値未満であるとＳ５７において判断すると、Ｓ２５１の処理を実行するようになっていても良い。このようになっている場合、呼気中アルコール測定装置２１０は、呼気温度センサー１４を備えていなくても良い。
【０１０３】
（第４の実施の形態）
まず、本実施の形態に係る呼気中アルコール測定装置の構成について説明する。
【０１０４】
図１５は、本実施の形態に係る呼気中アルコール測定装置３１０のブロック図である。図１６は、呼気中アルコール測定装置３１０の内部構造の模式図である。図１７は、マウスピース３４０が挿し込まれている状態での呼気中アルコール測定装置３１０の内部構造の模式図である。
【０１０５】
図１５〜図１７に示すように、呼気中アルコール測定装置３１０の構成は、以下に述べる構成を除いて、第１の実施の形態に係る呼気中アルコール測定装置１０（図１〜図３参照。）の構成と同様である。
【０１０６】
呼気中アルコール測定装置３１０は、ケース３０の挿し込み空間３３ａに挿し込まれたマウスピース３４０を検出するためのリーダーライター３１１を備えている。
【０１０７】
ここで、マウスピース３４０は、ＩＣチップ３４１を備えていることを除いて、マウスピース４０（図５参照。）と同様である。ＩＣチップ３４１には、利用者の氏名など、利用者の個人を特定するための情報（以下「個人特定情報」と言う。）が含まれている。
【０１０８】
リーダーライター３１１は、マウスピース３４０のＩＣチップ３４１内の情報を非接触で読み取ることができるものであり、本発明のＩＣチップリーダーを構成している。リーダーライター３１１は、マウスピース３４０がケース３０の挿し込み空間３３ａに挿し込まれている場合にマウスピース３４０のＩＣチップ３４１内の情報を読み取り可能である位置に配置されている。したがって、リーダーライター３１１は、挿し込み空間３３ａにマウスピース３４０が挿し込まれている場合、マウスピース３４０のＩＣチップ３４１を検出する。一方、リーダーライター３１１は、挿し込み空間３３ａにマウスピース３４０が挿し込まれていない場合、マウスピース３４０のＩＣチップ３４１を検出しない。すなわち、リーダーライター３１１は、挿し込み空間３３ａにマウスピース３４０が挿し込まれている状態と、挿し込み空間３３ａにマウスピースが挿し込まれていない状態とで出力が異なるようになっており、本発明の挿し込み検出手段の１つを構成している。なお、リーダーライター３１１は、通信可能である距離がマウスピース３４０の外径より大きい場合、マウスピース３４０がケース３０の挿し込み空間３３ａの内部で軸を中心にして回転したとしても、ＩＣチップ３４１内の情報を読み取ることができる。
【０１０９】
次に、呼気中アルコール測定装置３１０の動作について説明する。
【０１１０】
図１８は、呼気中アルコール測定装置３１０の動作のフローチャートである。
【０１１１】
図１８に示すように、呼気中アルコール測定装置３１０の動作は、以下に述べる動作を除いて、第１の実施の形態に係る呼気中アルコール測定装置１０（図１〜図３参照。）の動作（図６参照。）と同様である。
【０１１２】
呼気中アルコール測定装置３１０の制御部２２は、呼気温度センサー１４によって呼気を検出しなかったとＳ５７において判断すると、リーダーライター３１１がＩＣチップ３４１を検出している状態で、呼気圧力センサー１５の出力値が所定の閾値以上であるか否かを判断する（Ｓ３５１）。
【０１１３】
制御部２２は、リーダーライター３１１がＩＣチップ３４１を検出している状態で、呼気圧力センサー１５の出力値が所定の閾値以上であるとＳ３５１において判断すると、Ｓ６３の処理を実行する。
【０１１４】
一方、制御部２２は、リーダーライター３１１がＩＣチップ３４１を検出していない状態であるとＳ３５１において判断するか、呼気圧力センサー１５の出力値が所定の閾値未満であるとＳ３５１において判断すると、Ｓ６６の処理を実行する。
【０１１５】
また、制御部２２は、Ｓ６４の後、Ｓ６４において検出されたアルコールの濃度が含まれているアルコール測定の結果に、リーダーライター３１１によってマウスピース３４０のＩＣチップ３４１内から読み取った個人特定情報を含める（Ｓ３５２）。なお、制御部２２は、リーダーライター３１１によってＩＣチップ３４１内から個人特定情報が読み取れなかった場合、Ｓ６４において検出されたアルコールの濃度が含まれているアルコール測定の結果に、個人を特定することができなかった旨の情報を含める。
【０１１６】
次いで、制御部２２は、Ｓ３５２において生成したアルコール測定の結果を出力する（Ｓ３５３）。ここで、アルコール測定の結果の出力方法は、種々の方法が採用されることができる。例えば、アルコール測定の結果の出力方法は、表示部１７による表示、スピーカー１８による音声出力、外部インターフェイス２０を介した外部の情報処理装置への例えば電子メールによる通知、外部インターフェイス２０を介した外部のプリンターによる印刷出力、不揮発性メモリー２１への記録のうち、少なくとも１種類以上の方法が採用されることができる。
【０１１７】
呼気中アルコール測定装置３１０は、第１の実施の形態に係る呼気中アルコール測定装置１０（図１〜図３参照。）が有する効果に加えて、以下の効果を有している。
【０１１８】
呼気中アルコール測定装置３１０は、リーダーライター３１１の出力に基づいて吹き掛けモードおよび吹き込みモードを制御部２２が切り替える（Ｓ３５１）ので、ケース３０にマウスピース３４０が挿し込まれているか否かによって吹き掛けモードおよび吹き込みモードを自動的に切り替えることができる。したがって、呼気中アルコール測定装置３１０は、利用者の操作を容易化することができる。例えば、呼気中アルコール測定装置３１０は、吹き掛けモードおよび吹き込みモードを利用者の明示的な操作によって切り替えるためのモード切り替えスイッチをケース３０上に備えていて、利用者によるモード切り替えスイッチの明示的な操作によって吹き掛けモードおよび吹き込みモードを切り替える構成である場合、利用者の操作ミスが発生し得る。しかしながら、呼気中アルコール測定装置３１０は、ケース３０にマウスピース３４０が挿し込まれているか否かによって吹き掛けモードおよび吹き込みモードを自動的に切り替えることができるので、利用者の操作ミスの可能性を低減することができる。
【０１１９】
また、呼気中アルコール測定装置３１０は、ケース３０にマウスピース３４０が挿し込まれていることをマウスピース３４０のＩＣチップ３４１によって検出することができるだけでなく、アルコール測定の結果に含める個人特定情報をマウスピース３４０のＩＣチップ３４１によって取得することもできる。
【０１２０】
なお、呼気中アルコール測定装置３１０は、Ｓ５７の処理を「呼気温度センサー１４によって呼気を検出したか否かを判断する処理」から、「リーダーライター３１１がＩＣチップ３４１を検出していない状態で、呼気圧力センサー１５の出力値が所定の閾値以上であるか否かを判断する処理」に変更しても良い。すなわち、制御部２２は、リーダーライター３１１がＩＣチップ３４１を検出していない状態で、呼気圧力センサー１５の出力値が所定の閾値以上であるとＳ５７において判断すると、Ｓ５８を実行し、リーダーライター３１１がＩＣチップ３４１を検出している状態であるとＳ５７において判断するか、呼気圧力センサー１５の出力値が所定の閾値未満であるとＳ５７において判断すると、Ｓ３５１の処理を実行するようになっていても良い。このようになっている場合、呼気中アルコール測定装置３１０は、呼気温度センサー１４を備えていなくても良い。
【０１２１】
また、呼気中アルコール測定装置３１０は、本実施の形態において吹き込みモードのアルコール測定の結果にＩＣチップ３４１内の個人特定情報を含めるようになっているが、吹き掛けモードのアルコール測定の結果にもＩＣチップ３４１内の個人特定情報を含めるようになっていても良い。
【０１２２】
（第５の実施の形態）
まず、本実施の形態に係る呼気中アルコール測定装置の構成について説明する。
【０１２３】
図１９は、本実施の形態に係る呼気中アルコール測定装置４１０のブロック図である。
【０１２４】
図１９に示すように、呼気中アルコール測定装置４１０の構成は、以下に述べる構成を除いて、第１の実施の形態に係る呼気中アルコール測定装置１０（図１〜図３参照。）の構成と同様である。
【０１２５】
呼気中アルコール測定装置４１０は、吹き掛けモードおよび吹き込みモードを利用者の明示的な操作によって切り替えるためのモード切り替えスイッチ４１１を備えている。
【０１２６】
モード切り替えスイッチ４１１は、押された状態、すなわち、オン状態である場合に、吹き込みモードに対応しており、押されていない状態、すなわち、オフ状態である場合に、吹き掛けモードに対応している。また、モード切り替えスイッチ４１１は、押されていない場合に、図示していない弾性部材の付勢力によって飛び出た状態に維持されるようになっている。モード切り替えスイッチ４１１は、ケース３０の表面など、利用者によって操作可能である位置に配置されている。
【０１２７】
次に、呼気中アルコール測定装置４１０の動作について説明する。
【０１２８】
図２０は、呼気中アルコール測定装置４１０の動作のフローチャートである。
【０１２９】
図２０に示すように、呼気中アルコール測定装置４１０の動作は、以下に述べる動作を除いて、第１の実施の形態に係る呼気中アルコール測定装置１０（図１〜図３参照。）の動作（図６参照。）と同様である。
【０１３０】
呼気中アルコール測定装置４１０の制御部２２は、呼気温度センサー１４によって呼気を検出しなかったとＳ５７において判断すると、モード切り替えスイッチ４１１がオン状態で、呼気圧力センサー１５の出力値が所定の閾値以上であるか否かを判断する（Ｓ４５１）。
【０１３１】
制御部２２は、モード切り替えスイッチ４１１がオン状態で、呼気圧力センサー１５の出力値が所定の閾値以上であるとＳ４５１において判断すると、Ｓ６３の処理を実行する。
【０１３２】
一方、制御部２２は、モード切り替えスイッチ４１１がオフ状態であるとＳ４５１において判断するか、呼気圧力センサー１５の出力値が所定の閾値未満であるとＳ４５１において判断すると、Ｓ６６の処理を実行する。
【０１３３】
呼気中アルコール測定装置４１０は、第１の実施の形態に係る呼気中アルコール測定装置１０（図１〜図３参照。）が有する効果と同様の効果を有している。
【０１３４】
なお、呼気中アルコール測定装置４１０は、Ｓ５７の処理を「呼気温度センサー１４によって呼気を検出したか否かを判断する処理」から、「モード切り替えスイッチ４１１がオフ状態で、呼気圧力センサー１５の出力値が所定の閾値以上であるか否かを判断する処理」に変更しても良い。すなわち、制御部２２は、モード切り替えスイッチ４１１がオフ状態で、呼気圧力センサー１５の出力値が所定の閾値以上であるとＳ５７において判断すると、Ｓ５８を実行し、モード切り替えスイッチ４１１がオン状態であるとＳ５７において判断するか、呼気圧力センサー１５の出力値が所定の閾値未満であるとＳ５７において判断すると、Ｓ４５１の処理を実行するようになっていても良い。このようになっている場合、呼気中アルコール測定装置４１０は、呼気温度センサー１４を備えていなくても良い。
【符号の説明】
【０１３５】
１０  呼気中アルコール測定装置
１１  アルコールセンサー
１４  呼気温度センサー（挿し込み検出手段、吹き掛け用呼気センサー）
１５  呼気圧力センサー（呼気センサー）
２２  制御部
３０  ケース
３３ａ  挿し込み空間
３４  吹き掛け口
４０  マウスピース
１１０  呼気中アルコール測定装置
１１１  検出スイッチ（挿し込み検出手段）
２１０  呼気中アルコール測定装置
２１１  光電センサー（挿し込み検出手段）
３１０  呼気中アルコール測定装置
３１１  リーダーライター（挿し込み検出手段、ＩＣチップリーダー）
３４０  マウスピース
３４１  ＩＣチップ
４１０  呼気中アルコール測定装置
【図１】
2013156169.tif 000003
【図２】
2013156169.tif 000004
【図３】
2013156169.tif 000005
【図４】
2013156169.tif 000006
【図５】
2013156169.tif 000007
【図６】
2013156169.tif 000008
【図７】
2013156169.tif 000009
【図８】
2013156169.tif 000010
【図９】
2013156169.tif 000011
【図１０】
2013156169.tif 000012
【図１１】
2013156169.tif 000013
【図１２】
2013156169.tif 000014
【図１３】
2013156169.tif 000015
【図１４】
2013156169.tif 000016
【図１５】
2013156169.tif 000017
【図１６】
2013156169.tif 000018
【図１７】
2013156169.tif 000019
【図１８】
2013156169.tif 000020
【図１９】
2013156169.tif 000021
【図２０】
2013156169.tif 000022